(57)【要約】【課題】従来はインプラント治療を行うことができないような場合であっても、インプラント治療を施すことが可能となる。【解決手段】インプラント用補助具２０は、図１に示すように、操作棒３０と補助棒４０とを配置して使用される。使用時に、オペレータが操作棒操作部３７を補助棒４０の方向に動かすと、保護棒４０の支持用凸部４５が支点となり、操作棒押圧部３１が補助棒４０と反対方向に移動し、操作棒押圧部３１の外面が骨穴の壁の一面を押圧する。こうすることにより、骨穴の任意の面を保護棒４０で保護しつつ、操作棒押圧部３１で骨穴の壁の任意の一面を押圧することを実現することができる。【選択図】図１
2009291357.tif 000002
【特許請求の範囲】
【請求項１】
押圧部と第一保持部との間に第一接触部を有する長柄状の操作部材と、
第二接触部と第二保持部とを有する長柄状の保護部材と、
を備え、
前記操作部材と前記保護部材は、前記第一接触部と前記第二接触部とで互いに支持され、
前記保護部材は、前記操作部材を支持する際、骨穴の１面を保護する、
インプラント用補助具。
【請求項２】
前記押圧部は、前記保護部材に対向する面の反対の面に作用凸部である、
請求項１に記載のインプラント用補助具。
【請求項３】
前記操作部材と前記保護部材のうちの少なくとも一方は、湾曲部を有する、
請求項１又は２に記載のインプラント用補助具。
【請求項４】
前記操作部材の先端又は前記保護部材の先端のうちの少なくとも一方の先端は、流線型である、
請求項１〜３のいずれか1項に記載のインプラント用補助具。
【請求項５】
前記保護部材は、前記骨穴の深度を測定可能なメモリを有する、
請求項１〜４のいずれか1項に記載のインプラント用補助具。
【請求項６】
前記第一接触部は、略5度〜略８０度の角度で湾曲している、
請求項１〜５のいずれか1項に記載のインプラント用補助具。
【請求項７】
前記第一接触部は、支持凹部を有し、
前記第二接触部は、支持凸部を有する、
請求項１〜６のいずれか1項に記載のインプラント用補助具。
【請求項８】
前記第二接触部は、2以上の支持凸部を有する、
請求項７に記載のインプラント用補助具。
【発明の詳細な説明】
【技術分野】
【０００１】
本発明は、インプラント用補助具に関する。
【背景技術】
【０００２】
従来より、人口の歯根を顎骨に埋入して咀嚼や審美性の回復を図るインプラント治療が知られている。このインプラント治療では、インプラント窩にフィクスチャーと呼ばれるチタン製のスクリュータイプやコーンタイプのものを骨内に埋入して行われる。インプラント窩の形成にあたり、患者への負担を減らすため、骨内に小さな穴を形成し、その後穴を拡張する方法が知られている。例えば、特許文献１に記載のツールを用いると、らせん状のねじを回転させることで、骨内に形成された穴を拡張することができる。
【特許文献１】特開２００４−２５５１９１号公報
【発明の開示】
【発明が解決しようとする課題】
【０００３】
しかしながら、特許文献１に記載のツールを用いると、骨内に形成された穴を中心として均等に拡張することになるため、周囲の骨の強度や厚みなど骨の状況に応じて自由に穴を拡張することができず、骨の破損等を引き起こす危険性からインプラント治療が行えない場合があるという問題点があった。
【０００４】
本発明は、このような課題に鑑みなされたものであり、骨穴の周囲に均等に力がかかることを防ぎ、骨穴の所定の方向のみを押圧することで、骨内に形成された穴を任意の方向に拡張し、今までインプラント治療を行えなかったケースであっても、インプラント治療が行えるようにするインプラント用補助具を提供することを主目的とする。
【課題を解決するための手段】
【０００５】
本発明は、上述の目的の少なくとも一つを達成するために以下の手段を採った。
【０００６】
本発明のインプラント用補助具は、押圧部と第一保持部との間に第一接触部を有する長柄状の操作部材と、第二接触部と第二保持部とを有する長柄状の保護部材と、を備え、前記操作部材と前記保護部材は、前記第一接触部と前記第二接触部とで互いに支持され、前記保護部材は、前記操作部材を支持する際、骨穴の１面を保護する。
【０００７】
このインプラント用補助具では、それぞれ独立する部材である保護部材と操作部材の二つの部材が第一接触部と第二接触部とで接触し、一方が他方を支持する。このため、オペレータは自由に操作部材を操作することが可能であり、所望の位置に配置した押圧部により、押圧部と操作部との間に位置する第一接触部を支点として、骨穴の一面を押圧するとともに、保護部材により所望しない位置を押圧することを防ぐことができる。
【０００８】
本発明のインプラント用補助具において、前記操作部材と前記保護部材のうちの少なくとも一方は、湾曲部を有していてもよい。こうすることにより、操作部材と保護部材が平行に配置されている場合であっても、第一保持部と第二保持部とが近接しないため、インプラント用補助具の操作性が向上する。
【０００９】
本発明のインプラント用補助具において、前記操作部材の先端又は前記保護部材の先端のうちの少なくとも一方の先端は、流線型であってもよい。こうすることにより、操作部材又は保護部材の先端部に鋭利な部分を有する場合と比べて、操作部材又は保護部材の先端部が骨又はその他の部位に接触したとしても、骨等の傷害する可能性を低下することができる。
【００１０】
本発明のインプラント用補助具において、前記保護部材は、前記骨穴の深度を測定可能なメモリを有していてもよい。こうすることにより、オペレータは保護部材に有するメモリを基準に操作部材を操作できるため、操作部材の深度を容易に知ることができる。
【００１１】
本発明のインプラント用補助具において、前記第一接触部は、略5度〜略８０度の角度で湾曲していてもよい。こうすることにより、前記保護部材と前記操作部材とが平行に配置された場合であっても、前記第一接触部と前期第二接触部とが接触することができる。
【００１２】
本発明のインプラント用補助具において、前記第一接触部は、支持凹部を有し、前記第二接触部は、支持凸部を有していてもよい。こうすることにより、第一接触部と第二接触部とが互いにかみ合うため、互いにかみ合わない場合に比べて、操作時に操作部がぶれる心配がない。この態様を採用した本発明のインプラント用補助具において、前記第二支持部は、2以上の支持凸部を有していてもよい。こうすることにより、任意の支持凸部と支持凹部とをかみ合わせることができるため、支持凸部が一つの場合よりも押圧部を自由な位置に配置することができる。
【発明の効果】
【００１３】
本発明のインプラント用補助具では、上述した構成を有するため、オペレータは自由に操作部材を操作することが可能であり、操作部材で骨穴の所定の方向のみを押圧することで骨内に形成された穴を任意の方向に拡張するとともに、保護部材で任意の方向が押圧されることを防ぎ、今までインプラント治療を行えなかったケースであっても、インプラント治療が行うことができる。
【発明を実施するための最良の形態】
【００１４】
次に、本発明の実施の形態を図面に基づいて説明する。図１は、本発明の一実施形態であるインプラント用補助具２０における操作棒３０と補助棒４０との関係を説明するための説明図であり、図２は操作棒３０の構造を説明するための説明図であり、図３は補助棒４０の構造を説明するための説明図である。本実施形態のインプラント用補助具２０は、図１に示すように、操作棒３０と補助棒４０とを配置して使用される。このとき、操作棒３０と補助棒４０とが対向する位置を内面、操作棒３０又は補助棒４０と骨穴の壁とが対向する位置を外面として以下に説明するが、内面及び外面の語は位置関係を説明するために用い、平面を意味するものではない。
【００１５】
操作棒３０は、図２に示すように、流線型の端部を有する操作棒押圧部３１を備え、操作棒押圧部３１から長手方向であって他方の端部に向かって順に、後述する支持用凸部４５とかみ合う形状に形成されている複数の支持用凹部３３と、支持用凹部３３に向かって略３０度の角度で外面方向に湾曲した操作棒湾曲部３５と、オペレータが操作棒３０を操作する金属性の操作棒操作部３７とを備えている。なお、この操作棒３０は、内面側の幅が約１０ｍｍ、厚さが約１ｍｍ、長さが約４０ｍｍであり、操作棒操作部３７以外の部位は、滑らかな硬質合成樹脂製であり、操作棒３０は支持用凹部３３近傍において操作棒押圧部３１に向かって略１０度の角度で外面方向に湾曲している。
【００１６】
補助棒４０は、図３に示すように、補助棒４０の一方の端部付近にオペレータが補助棒４０を操作する金属製の補助棒操作部４１を有し、他方の端部方向に向かって順に、支持用凸部４５に向かって略３０度の角度で外面方向に湾曲した補助棒湾曲部４３と、前述した複数の支持用凹部３３のいずれかとかみ合う形状に形成されている支持用凸部４５と、補助棒操作部４１と反対側の端部付近にメモリ４７とを備えている。なお、この補助棒４０は、内面側の幅が約１０ｍｍ、厚さが約１ｍｍ、長さが約４０ｍｍであり、補助棒操作部４１以外の部位は、滑らかな硬質合成樹脂製である。
【００１７】
次に、こうして構成された本実施形態のインプラント用補助具２０の実施の態様について説明する。図４は、インプラント用補助具２０が使用されるときの使用例の一つを説明するための説明図である。
【００１８】
本実施形態のインプラント用補助具２０を使用する際には、図４（Ａ）に示すように、オペレータは、予め骨内に形成した穴に補助棒４０を挿入する。このとき、予め骨内に形成した骨穴の周辺に骨の強度の低い部位がある場合や、骨穴を形成した際に骨の厚さの薄い部位がある場合には、それらの部位に補助棒４０の外面が向く方向に補助棒４０を挿入する。こうすることにより、後述する操作棒３０を操作する際に、これらの骨の弱い部分が損傷することを未然に防ぐことができる。
【００１９】
次に、オペレータは、補助棒４０の内面に沿って操作棒３０を骨穴に挿入する。このとき、図４（Ｂ）に示すように、操作棒３０を挿入し、骨穴を押圧する部分に操作棒押圧部３１の外面が対向するように配置する。同時に、複数の支持用凹部３３のうちの一つと支持用凸部４５とをかみ合わせる。すなわち、操作棒３０と補助棒４０とは支持用凹部３３と支持用凸部４５とが接する一点でのみ接することになる。このとき、オペレータは、メモリ４７の位置を目安にして操作棒３０を骨穴に挿入することができる。こうすることにより、操作棒押圧部３１の外面を適切な位置に配置することができる。なお、挿入する際に操作棒３０と補助棒４０とが接する部位は、滑らかな硬質合成樹脂製であるため、操作棒３０の内面と補助棒４０の内面とが互いにすべり、操作棒押圧部３１がスムーズに任意の位置に導かれることになる。
【００２０】
次に、オペレータは、操作棒操作部３７を内面方向に操作する。操作棒操作部３７を内面方向に操作すると、支持用凸部４５が支点となり、操作棒押圧部３１は外面方向に移動し、操作棒押圧部３１が骨穴の壁を押圧する。すなわち、力が加わる方向が所定方向のみに制限される。
【００２１】
ここで、本実施形態の構成要素と本発明の構成要素との対応関係を明らかにする。本実施形態のインプラント用補助具２０が本発明のインプラント用補具に相当し、操作棒３０が操作部材に相当し、操作棒押圧部３１が押圧部に相当し、支持用凹部３３が第一接触部及び支持凹部に相当し、操作棒操作部３１が第一保持部に相当し、補助棒４０が保護部材に相当し、支持用凸部４５が第二接触部及び支持凸部に相当し、補助棒操作部４１が第二保持部に相当し、操作棒湾曲部３５及び補助棒湾曲部４３が湾曲部に相当する。なお、本実施形態では、インプラント用補助具２０の動作を説明することにより本発明のインプラント用補助具の使用方法の一例も明らかにしている。
【００２２】
以上詳述した本実施の形態のインプラント用補助具によれば、操作棒操作部３７を操作することで保護棒４０の支持用凸部４５を支点として、操作棒押圧部３１の外面が骨穴の壁の一面を押圧する。こうすることにより、骨穴の任意の面を保護棒４０で保護しつつ、操作棒押圧部３１で骨穴の壁の任意の一面を押圧することができる。したがって、従来はインプラント治療を行うことができないような場合であっても、インプラント治療を施すことが可能となる。
【００２３】
なお、本発明は上述した実施形態に何ら限定されることはなく、本発明の技術的範囲に属する限り種々の態様で実施し得ることはいうまでもない。
【００２４】
例えば、上述した実施形態では、操作棒操作部３７が金属製であり、操作棒３０の他の部位が滑らかな硬質合成樹脂製であるとしたが、操作棒全体が金属製又は硬質合成樹脂製であっても良いし、操作棒操作部３７が硬質合成樹脂製であり操作棒３０の他の部位が金属製であっても良く、操作棒操作部３７が骨を押圧できる程度の強度を持つ素材であっても良い。ここで、骨を押圧できる程度の強度とは、骨の強度と略同等又は略同等よりも少し弱い強度をいい、通常の操作では骨を押圧しても変形することは無いが、骨が破壊されるほどの力で押圧した場合には、変形又は破損する程度の強度を言う。
【００２５】
上述した実施形態では、操作棒３０は、内面側の幅が約１０ｍｍ、厚さが約１ｍｍ、長さが約４０ｍｍであるものとしたが、操作棒３０のサイズは、これらの限定されるものではない。例えば、操作棒３０の内面側の幅は、１ｍｍ以上３０ｍｍ未満であってもよく、１ｍｍ以上１２ｍｍ未満であってもよい。この幅が１ｍｍ未満の場合には、骨穴を押圧する際に操作棒３０が湾曲又は破損するおそれがあるため好ましくなく、この幅が３０ｍｍ以上の場合には、骨穴が小さい場合に、操作棒３０を挿入できないおそれがあるため好ましくない。また、操作棒３０の厚さは、０．５ｍｍ以上４ｍｍ未満であってもよく、０．５ｍｍ以上３ｍｍ未満であってもよい。この厚さが０．５ｍｍ未満の場合には、骨穴を押圧する際に操作棒３０が湾曲又は破損するおそれがあるため好ましくなく、この厚さが４ｍｍ以上の場合には、骨穴が小さい場合に、操作棒３０を挿入できないおそれがあるため好ましくない。
【００２６】
上述した実施形態では、補助棒４０は、内面側の幅が約１０ｍｍ、厚さが約１ｍｍ、長さが約４０ｍｍであるものとしたが、補助棒４０のサイズは、これらに限定されるものではない。例えば、補助棒４０の内面側の幅は、１ｍｍ以上３０ｍｍ未満であってもよく、１ｍｍ以上１２ｍｍ未満であってもよい。この幅が１ｍｍ未満の場合には、操作棒３０を支持する際に補助棒３０が湾曲又は破損するおそれがあるため好ましくなく、この幅が３０ｍｍ以上の場合には、骨穴が小さい場合に、補助棒３０を挿入できないおそれがあるため好ましくない。また、補助棒４０の厚さは、０．５ｍｍ以上４ｍｍ未満であってもよく、０．５ｍｍ以上３ｍｍ未満であってもよい。この幅が１ｍｍ未満の場合には、操作棒３０を支持する際に補助棒３０が湾曲又は破損するおそれがあるため好ましくなく、この幅が３０ｍｍ以上の場合には、骨穴が小さい場合に、補助棒３０を挿入できないおそれがあるため好ましくない。
【００２７】
上述した実施形態では、操作棒３０に複数の支持用凹部３３を備えるものとしたが、支持用凹部３３は一つであってもよく、無くてもよい。こうすれば、操作棒３０の製造時の手間を軽減することができる。また、操作棒３０に支持用凸部を備え補助棒４０に支持用凹部を備えるようにしてもよい。その他、操作棒３０と補助棒４０とを略並行に配置したとき、一点で接することができる形状であれば、特に限定されるものではない。
【００２８】
上述した実施形態では、操作棒押圧部３１を備えるものとしたが、図５（Ａ）に示すように、操作棒操作部３１に外面に突起５１を有するようにしてもよい。こうすれば、操作棒押圧部３１中の一点に力を集中することができる。また、図５（Ｂ）に示すように、操作棒押圧部３１の外面の前方が膨らんだ形状でもよい。こうすれば、骨穴の深部の一点に力を集中することができる。また、図５（Ｃ）に示すように、操作棒押圧部３１の外面の後方が膨らんだ形状でもよい。こうすれば、骨穴の浅部の一点に力を集中することができる。また、図５（Ｄ）に示すように、操作棒押圧部３１の外面に複数の膨らみを有する形状であってもよい。こうすれば、骨穴の複数の点に力を集中することができる。また、図５（Ｅ）に示すように、操作棒押圧部３１の外面の中央部に膨らみを有する形状であってもよい。こうすれば、骨穴の中程度の深度の位置に力を集中することができる。なお、その他、所定の面で骨穴と接することができる形状であれば、特に限定されるものではない。
【００２９】
上述した実施形態では、操作棒押圧部３１を備えるものとしたが、図６（Ａ）に示すように、プラスチック等の容易に削ることのできる材質で操作部３１の外面に複数のふくらみを有し、図６（Ｂ）に示すように、オペレータの使用状況に応じて、適宜削除して用いてもよい。こうすれば、任意の場所を押圧することができる形状に適宜形成できるため、オペレータの操作性がより上昇する。なお、図６では、３カ所のふくらみを有し、中央のふくらみを削除するものとして説明したが、ふくらみの数は３カ所に限定されるものではなく、削除するふくらみも中央に限定されるものではない。また、ふくらみを削除する際も、完全に削除するだけでなく、一部を削除しても良い。
【００３０】
上述した実施形態では、操作棒湾曲部３５が支持用凹部３３に向かって略３０度の角度で外面方向に湾曲し、補助棒湾曲部４３が支持用凸部４５に向かって略３０度の角度で湾曲しているものとしたが、湾曲部の角度は略３０度に限定されるものでなく、９０度〜１０度であってもよく、６０度〜２０度であってもよく、４５度〜３０であってもよい。湾曲部の角度を適宜選択することで、オペレータの使用しやすい形状で提供することができる。
【００３１】
上述した実施形態では、操作棒３０は支持用凹部３３近傍において操作棒押圧部３１に向かって略１０度の角度で外面方向に湾曲しているものとしたが、この角度は略１０度に限定されるものでなく、６０度〜５度であってもよく、４５度〜５度であってもよく、３０度〜１０度であってもよい。角度を適宜選択することで、オペレータの使用しやすい形状に形成することができる。
【００３２】
上述した実施形態では、補助棒操作部４１と反対側の端部付近にメモリ４７を備えるものとしたが、メモリ４７の位置は端部付近に限定されるものではなく、メモリ４７を備えなくてもよい。こうすることにより、メモリ４７の設計の自由度が増し、メモリ４７を備えない場合には、製造時の手間を軽減することができる。
【００３３】
上述した実施形態では、オペレータが補助棒４０を操作する金属製の補助棒操作部４１を備えるものとしたが、オペレータが補助棒操作部４１を操作しなくても良い。例えば、オペレータの代わりに補助者が補助棒操作部４１を操作しても良いし、オペレータが補助棒４０を骨穴に挿入した後、患者自身が補助棒４０の一端を押圧することにより補助棒４０を固定してもよい。こうすれば、オペレータは補助棒４０を支える必要がないため、操作性が向上する。なお、患者が補助棒４０を押圧する方法は、例えば、補助棒４０の一部を歯で噛んでもよいし、舌や指等で押さえてもよい。
【産業上の利用可能性】
【００３４】
本発明は、インプラント治療、特にインプラント治療のためのインプラント窩の形成に利用することができる。
【図面の簡単な説明】
【００３５】
【図１】操作棒３０と補助棒４０との関係を説明するための説明図である。
【図２】操作棒３０の構造を説明するための説明図である。
【図３】補助棒４０の構造を説明するための説明図である。
【図４】インプラント用補助具２０の使用例の一つを説明するための説明図である。
【図５】操作棒押圧部３１の他の実施の形態を示す説明図である。
【図６】操作棒押圧部３１の更に他の実施の形態を示す説明図である。
【符号の説明】
【００３６】
２０  インプラント用補助具、３０  操作棒、３１  操作棒押圧部、３３  支持用凹部、３５  操作棒湾曲部、３７  操作棒操作部、４０  補助棒、４１  補助棒操作部、４３  補助棒湾曲部、４５  支持用凸部、４７  メモリ、５１  突起。
【図１】
2009291357.tif 000003
【図２】
2009291357.tif 000004
【図３】
2009291357.tif 000005
【図４】
2009291357.tif 000006
【図５】
2009291357.tif 000007
【図６】
2009291357.tif 000008